(57)【要約】      （修正有）【課題】パチンコ玉をこぼすことがないように閉蓋の役目を十分に有し，製造コストを安くでき，収容量に幅を持たせること，すなわち，パチンコ玉が玉箱本体の上面開口を超えた山盛りの状態にすることもでき新規なパチンコ玉箱の提供。【解決手段】メッシュサイズがパチンコ玉より小さいネットで作製され，かつ容量を玉箱本体ａの容量とほぼ同じかそれ以上としているネット製袋体ｂが，その底面部７を，玉箱本体ａの底板１に重合固定し，かつ，そのネット製袋体ｂが，上面開口９の紐通し路１０に挿通した緊締紐１１を緊縛する紐留め１２を備えるとともに，消音マットｃを，ネット製袋体ｂの底面部７と玉箱本体ａの底板１に重合固定しているパチンコ玉箱である。【選択図】図１
0003113040.tif 000002
【実用新案登録請求の範囲】
【請求項１】
玉箱本体（ａ）に，メッシュサイズがパチンコ玉より小さいネットで作製したネット製袋体（ｂ）を装着してなることを特徴とするパチンコ玉箱。
【請求項２】
ネット製袋体（ｂ）が，その容量を，玉箱本体（ａ）の容量とほぼ同じかそれ以上としていることを特徴とする請求項１記載のパチンコ玉箱。
【請求項３】
ネット製袋体（ｂ）が，その底面部（７）を，玉箱本体（ａ）の底板（１）に重合固定していることを特徴とする請求項１または２記載のパチンコ玉箱。
【請求項４】
ネット製袋体（ｂ）が，上面開口（９）の辺縁に沿って環状に形成した紐通し路（１０）に緊締紐（１１）を挿通し，さらに，その緊締紐（１１）を緊縛する紐留め（１２）を備えていることを特徴とする請求項１，２または３記載のパチンコ玉箱。
【請求項５】
消音マット（ｃ）を，ネット製袋体（ｂ）の底面部（７）と玉箱本体（ａ）の底板（１）に重合固定していることを特徴とする請求項１，２，３または４記載のパチンコ玉箱。
【請求項６】
消音マット（ｃ）を，ネット製袋体（ｂ）の底面部（７）に重合するとともに該底面部（７）を介して玉箱本体（ａ）の底板（１）に接着固定していることを特徴とする請求項１，２，３または４記載のパチンコ玉箱。
【請求項７】
ネット製袋体（ｂ）が，その囲繞周面部（８）を，玉箱本体（ａ）の囲繞周壁（２）の内面に添わせながら，その上面開口（３）の外方に延出し，かつ，該ネット製袋体（ｂ）の上面開口（９）の周辺部分所要幅員を，玉箱本体（ａ）の上面開口（３）の周鍔（４）を覆う拡げた状態にすることができるようにしてなることを特徴とする請求項１，２，３，４，５または６記載のパチンコ玉箱。
【請求項８】
玉箱本体（ａ）が，ポリエチレン等の合成樹脂で一体成型され，底板（１）の周囲に，上側に達するに従い徐々に外方に拡がる囲繞周壁（２）を有するとともに，その囲繞周壁（２）の上端辺部により上面開口（３）を形成し，かつ，その上面開口（３）の辺縁に外向きの周鍔（４）を延出形成してなることを特徴とする請求項１，２，３，４，５，６または７記載のパチンコ玉箱。
【考案の詳細な説明】
【技術分野】
【０００１】
本考案は、パチンコ遊戯店で遊戯者が勝玉を収容するのに使用するパチンコ玉箱の改良に関する。
【背景技術】
【０００２】
従来，パチンコ遊戯者が，パチンコ台の受け皿に入り切らない勝玉を収容して，店内で一時的に保管したり，運んだりするのに使用するパチンコ玉箱として，上面開口を開放したままとする蓋無しのもの，その上面開口を閉蓋することができる蓋付きのものが知られている。蓋付きのものとしては，例えば特許文献１に記載のものがある。
【特許文献１】特開２００２−１４３５４６号公報
【０００３】
この蓋付きのものは，当然ながら，閉蓋しておくことにより，収容されているパチンコ玉を，上記の一時的に保管しているとき，または運んでいるときに不用意にこぼすのを防止するとか，他人が容易につかみ盗ろうとするのを防止できるなどといった利点がある。
【考案の開示】
【考案が解決しようとする課題】
【０００４】
しかし，蓋付きのものは，少なくともその蓋の分の製造コストが高くなる，パチンコ玉の収容量が閉蓋に支障がない所定の量に限定されてしまう，パチンコ玉が玉箱本体の上面開口を超えて山盛りの状態になっているとき，閉蓋すること自体が不可能か少なくとも難しくなる，さらには，玉箱本体と組み合わせてある蓋とが離ればなれになってしまい，使用するのに不便であるとともに空箱状態での保管にも不便である等の問題を生じる。
【０００５】
そこで，本考案は，収容されているパチンコ玉をこぼすことがないように閉蓋の役目を十分に奏し，製造コストを安くすることができ，さらに，収容量に幅を持たせること，すなわち，パチンコ玉が玉箱本体の上面開口を超えた山盛りの状態にすることもでき，その上，上記従来公知のもののように，蓋が玉箱本体から離ればなれになってしまうタイプのものと異なり，使用上あるいは保管上の不便もない，新規なパチンコ玉箱を提供することを目的とする。
【課題を解決するための手段】
【０００６】
実用新案登録請求の範囲の請求項１記載の本考案パチンコ玉箱は，玉箱本体ａに，メッシュサイズがパチンコ玉より小さいネットで作製したネット製袋体ｂを装着してなる。
【０００７】
同請求項２記載の本考案は，ネット製袋体ｂが，その容量を，玉箱本体ａの容量とほぼ同じかそれ以上としている請求項１記載のパチンコ玉箱である。
【０００８】
同請求項３記載の本考案は，ネット製袋体ｂが，その底面部７を，玉箱本体ａの底板１に重合固定している請求項１または２記載のパチンコ玉箱である。
【０００９】
同請求項４記載の本考案は，ネット製袋体ｂが，上面開口９の辺縁に沿って環状に形成した紐通し路１０に緊締紐１１を挿通し，さらに，その緊締紐１１を緊縛する紐留め１２を備えている請求項１，２または３記載のパチンコ玉箱である。
【００１０】
同請求項５記載の本考案は，消音マットｃを，ネット製袋体ｂの底面部７と玉箱本体ａの底板１に重合固定している請求項１，２，３または４記載のパチンコ玉箱である。
【００１１】
同請求項６記載の本考案は，消音マットｃを，ネット製袋体ｂの底面部７に重合するとともに該底面部７を介して玉箱本体ａの底板１に接着固定している請求項１，２，３または４記載のパチンコ玉箱である。
【００１２】
同請求項７記載の本考案は，ネット製袋体ｂが，その囲繞周面部８を，玉箱本体ａの囲繞周壁２の内面に添わせながら，その上面開口３の外方に延出し，かつ，該ネット製袋体ｂの上面開口９の周辺部分所要幅員を，玉箱本体ａの上面開口３の周鍔４を覆う拡げた状態にすることができるようにしてなる請求項１，２，３，４，５または６記載のパチンコ玉箱である。
【００１３】
同請求項８記載の本考案は，玉箱本体ａが，ポリエチレン等の合成樹脂で一体成型され，底板１の周囲に，上側に達するに従い徐々に外方に拡がる囲繞周壁２を有するとともに，その囲繞周壁２の上端辺部により上面開口３を形成し，かつ，その上面開口３の辺縁に外向きの周鍔４を延出形成してなる請求項１，２，３，４，５，６または７記載のパチンコ玉箱である。
【考案の効果】
【００１４】
本考案によれば，ネット製袋体が玉箱本体に収容されているパチンコ玉をこぼすことがないように閉蓋の役目を十分に果たすことができ，従来の蓋付きパチンコ玉箱における少なくとも蓋を製造する場合に比べコストを安くすることができ，さらに，収容量に幅を持たせること，すなわち，パチンコ玉が玉箱本体の上面開口を超えた山盛りの状態にすることもでき，その上，上記従来公知のもののように，蓋が玉箱本体から離ればなれになってしまうタイプのものと異なり，使用上あるいは保管上の不便もない。
【考案を実施するための最良の形態】
【００１５】
本考案パチンコ玉箱は，玉箱本体ａに，メッシュサイズがパチンコ玉より小さいネットで作製したネット製袋体ｂを装着してなり，その最良の形態は以下の実施例に示すとおりである。
【実施例】
【００１６】
ａはポリエチレン等の合成樹脂で一体成型した玉箱本体で，それは，横長丸角方形の底板１の周囲に，上側に達するに従い徐々に外方に拡がる囲繞周壁２を形成するとともに，その囲繞周壁２の上端辺部により横長丸角方形の上面開口３を形成し，かつ，その上面開口３の辺縁に外向きの周鍔４を延出し，さらに，その上面開口３の長手方向両側部分の周鍔４に指掛け片５，５を延出形成してなる。
６，６は，上記底板１の所要位置に開設した透孔である。
【００１７】
ｂは，ポリエステル等の合成樹脂製の柔軟性ネットにより形成したネット製袋体で，その容量を上記玉箱本体ａの容量と少なくとも同じかそれ以上とし，また，そのメッシュサイズは，パチンコ玉より小さく，したがって，パチンコ玉が抜脱できない大きさのものである。
このネット製袋体ｂは，横長方形の底面部７の周囲に，囲繞周面部８を連続させるとともに，その囲繞周面部８の上端辺部により横長方形の上面開口９を形成し，かつ，その上面開口９の辺縁に沿って環状に形成した紐通し路１０に緊締紐１１を挿通している。
【００１８】
１２は上記緊締紐１１を緊縛する紐留めで，これに貫通させた緊締紐１１を，押しボタン１３を内装ばね（図示していない）に抗して押圧することによりルーズにでき，また，その押圧を解除することにより緊縛状態とすることができる。
したがって，上記緊締紐１１を押しボタン１３を押圧してルーズにした状態で，ネット製袋体ｂの上記上面開口９を窄めたり，拡げたりすることができ，
また，押しボタン１３の押圧を解除することによって，上面開口９をその窄めた状態または拡げた状態に保持できること明らかである。
【００１９】
ネット製袋体ｂは，上記構成の玉箱本体ａに次のように装着されている。
すなわち，ネット製袋体ｂの底面部７を玉箱本体ａの底板１に重合するとともに，軟質合成樹脂製の消音マットｃを上記底面部７に重合し，この消音マットｃを，所要の接着剤で該底面部７のメッシュを通じて，底面部７に接着固定しているものでる。
この消音マットｃは，パチンコ玉をネット製袋体ｂに投入したときに玉箱本体ａの底板１との間で衝撃音が生じるのを，文字どおり，消音しようとするものである。なお，１４は，消音マットｃの所要位置に開設した透孔である。
【００２０】
上記構成の本考案パチンコ玉箱の使用に際しては，上記ネット製袋体ｂの囲繞周面部８を，玉箱本体ａの囲繞周壁２の内面に添わせながら，その上面開口３の外方に延出させ，かつ，上面開口９の周辺部分所要幅員を，玉箱本体ａの周鍔４，指掛け片５，５を覆う拡げた状態にする（図２参照）。
これにより，玉箱本体ａとネット製袋体ｂは，前者の上面開口３に後者の上面開口９をほぼ一致させたパチンコ玉受入状態にセットされたことになる。
【００２１】
遊戯者は，パチンコ玉を，受入状態にセットされたネット製袋体ｂに投入し，例えば，玉箱本体ａの上面開口３と面一になったところで（図３），玉箱本体ａの周鍔４，指掛け片５，５を覆っているネット製袋体ｂの上面開口９の周辺部分をそれらから外して立ち上げ（図４），上記のようにして，緊締紐１１によりネット製袋体ｂの上面開口９を窄め，その窄めた状態を保持できる（図５）。
【００２２】
このような状態にすることによって，玉箱本体ａは実質上閉蓋されたと同じ状態になり，店内で一時的に保管しているときはもちろん運んでいるときにおいても，収容されているパチンコ玉が不用意にこぼれるようなことを防止できる。また，他人が容易につかみ盗ろうとするのを防止できる。
しかも，収容されているパチンコ玉は，ネット製袋体ｂのメッシュを通じて外方から視認できるので至便である。
【００２３】
上記において，ネット製袋体ｂの容量を玉箱本体ａの容量を超える大きなものにしておけば，パチンコ玉を玉箱本体ａの上面開口３を超えた山盛りの状態にした場合にも，それを覆って，上記同様閉蓋されたと同じ状態にができ，かつ，その山盛りの高低にも柔軟に対応できあることが明らかである。
換言すると，前述の公知の蓋付きの玉箱のようにパチンコ玉の収容量が一定の量に限定されてしまう不利がなく，収容量に幅，すなわち融通性を持たせることができる。
特に本考案は，このように，ネット製袋体ｂの容量を玉箱本体ａの容量を超える大きなものにしておくことが，実施上好適である。
【産業上の利用可能性】
【００２４】
以上から明らかなように，本考案パチンコ玉箱は，遊戯者が勝玉を入れて店内で一時的に保管したり，運んだりするのに至便であるとともに，パチンコ遊戯店側においても，保管や管理に便利であり，従来の蓋無し玉箱はもちろん蓋付き玉箱に比べるとその利用可能性は，画期的に向上すると認められる。
【図面の簡単な説明】
【００２５】
【図１】本考案の一実施例に係るパチンコ玉箱の玉箱本体とネット製袋体および消音マットの各々を分離状態で示す斜視図である。
【図２】上記パチンコ玉箱の断面図である。
【図３】上記パチンコ玉箱において，玉箱本体の上面開口とほぼ面一にパチンコ玉を収容した状態の斜視図である。
【図４】同上において，ネット製袋体を立ち上げた状態の斜視図である。
【図５】同上のネット製袋体の上面開口を緊縛し閉じた状態の斜視図である。
【図６】図５のＩ−Ｉ線に沿う要部拡大断面図である。
【符号の説明】
【００２６】
ａ      玉箱本体
ｂ      ネット製袋体
ｃ      消音マット
７      底面部
１      底板
２      囲繞周壁
３      上面開口
４      周鍔
８      囲繞周面部
９      上面開口
１０    紐通し路
１１    緊締紐
１２    紐留め
【図１】
0003113040.tif 000003
【図２】
0003113040.tif 000004
【図３】
0003113040.tif 000005
【図４】
0003113040.tif 000006
【図５】
0003113040.tif 000007
【図６】
0003113040.tif 000008